(57)【要約】【課題】極めて少ないダイヤルキー操作で任意のデータを検索する。【解決手段】各ダイヤルキーと当該割当文字と対応関係を示すキー登録情報１５Ｂを記憶部１５で記憶しておき、キー入力処理部１６Ｂにより、押下されたダイヤルキーに対応する割当文字を入力候補情報としてキー登録情報１５Ｂから取得して、記憶部１５のキー入力情報１５Ｃへ保存し、データ検索部１６Ｃにより、キー入力情報１５Ｃ内の各入力候補情報に含まれる割当文字のいずれかが、当該ダイヤルキーの押下順序と対応する桁位置に存在するデータを、データベース１５Ａから検索する。【選択図】  図１
2010128855.tif 000002
【特許請求の範囲】
【請求項１】
検索対象となる複数のデータを含むデータベースと、
押下時に入力される文字として１つ以上の文字がそれぞれ割り当てられている複数のダイヤルキーと、
前記ダイヤルキーと当該割当文字との対応関係を示すキー登録情報を記憶する記憶部と、
押下された前記ダイヤルキーに対応する割当文字を前記キー登録情報から取得し、入力候補情報として前記記憶部へ保存するキー入力処理部と、
前記入力候補情報に含まれる割当文字のいずれかが、当該ダイヤルキーの押下順序と対応する桁位置に存在するデータを、前記データベースから検索するデータ検索部と
を備えることを特徴とするデータ検索装置。
【請求項２】
請求項１に記載のデータ検索装置において、
前記データ検索部は、押下された前記ダイヤルキーの押下順序が１桁目である場合には、１桁目に前記入力文字候補のいずれかが存在するデータを前記データベースから検索して、その検索結果を前記記憶部へ保存し、押下された前記ダイヤルキーの押下順序が２桁目以降である場合には、当該押下順序と対応する桁位置に前記入力文字候補のいずれかが存在するデータを前記検索結果から再検索して、その検索結果を前記記憶部へ保存することを特徴とするデータ検索装置。
【請求項３】
請求項１に記載のデータ検索装置において、
前記キー登録情報は、任意のダイヤルキーと前記データに含まれる意味的区切りを示す区切り文字との対応関係を含み、
前記データベースは、前記データごとに、当該データの意味的区切り位置に前記区切り文字を含む
ことを特徴とするデータ検索装置。
【請求項４】
請求項１に記載のデータ検索装置において、
前記キー登録情報の割当文字は、当該ダイヤルキーの識別情報からなり、
前記データベースは、前記データごとに、当該データを構成する各文字をそれぞれの文字と対応する前記ダイヤルキーの識別情報で表現したダイヤル表現情報を含み、
前記データ検索部は、前記ダイヤルキーの入力候補情報に含まれる割当文字のいずれかが、当該ダイヤルキーの押下順序と対応する桁位置に存在するダイヤル表現情報を有するデータを、前記データベースから検索する
ことを特徴とするデータ検索装置。
【請求項５】
検索対象となる複数のデータを含むデータベースと、押下時に入力される文字として１つ以上の文字がそれぞれ割り当てられている複数のダイヤルキーとを含むデータ検索装置で、前記ダイヤルキーの操作に応じて前記データベースから任意のデータを検索するためのデータ検索方法であって、
記憶部が、前記ダイヤルキーと当該割当文字との対応関係を示すキー登録情報を記憶する記憶ステップと、
キー入力処理が、押下された前記ダイヤルキーに対応する割当文字を前記キー登録情報から取得し、入力候補情報として前記記憶部へ保存するキー入力処理ステップと、
データ検索部が、前記ダイヤルキーの入力候補情報に含まれる割当文字のいずれかが、当該ダイヤルキーの押下順序と対応する桁位置に存在するデータを、前記データベースから検索するデータ検索ステップと
を備えることを特徴とするデータ検索方法。
【請求項６】
請求項５に記載のデータ検索方法において、
前記データ検索ステップは、押下された前記ダイヤルキーの押下順序が１桁目である場合には、１桁目に前記入力文字候補のいずれかが存在するデータを前記データベースから検索して、その検索結果を前記記憶部へ保存するステップと、押下された前記ダイヤルキーの押下順序が２桁目以降である場合には、当該押下順序と対応する桁位置に前記入力文字候補のいずれかが存在するデータを前記検索結果から再検索して、その検索結果を前記記憶部へ保存するステップとを含むことを特徴とするデータ検索方法。
【請求項７】
請求項５に記載のデータ検索方法において、
前記キー登録情報は、任意のダイヤルキーと前記データに含まれる意味的区切りを示す区切り文字との対応関係を含み、
前記データベースは、前記データごとに、当該データの意味的区切り位置に前記区切り文字を含む
ことを特徴とするデータ検索方法。
【請求項８】
請求項５に記載のデータ検索方法において、
前記キー登録情報の割当文字は、当該ダイヤルキーの識別情報からなり、
前記データベースは、前記データごとに、当該データを構成する各文字をそれぞれの文字と対応する前記ダイヤルキーの識別情報で表現したダイヤル表現情報を含み、
前記データ検索ステップは、前記ダイヤルキーの入力候補情報に含まれる割当文字のいずれかが、当該ダイヤルキーの押下順序と対応する桁位置に存在するダイヤル表現情報を有するデータを、前記データベースから検索するステップを含む
ことを特徴とするデータ検索方法。
【請求項９】
コンピュータを、請求項１〜請求項４のいずれか１つに記載のデータ検索装置として機能させるためのプログラム。
【発明の詳細な説明】
【技術分野】
【０００１】
本発明は、データ検索技術に関し、特にダイヤルキーを用いてデータを検索する技術に関する。
【背景技術】
【０００２】
電話装置では、ＩＰ技術の利用に伴い、インターネットやＬＡＮと接続して、ＬＤＡＰ（Lightweight Directory Access Protocol）などのプロトコルを用いて、網上のサーバから電話帳データを容易に取得することが可能となりつつある。このようにして、電話装置の電話帳データは増大する傾向が高いものの、電話装置には、ダイヤルキーや矢印キーなど限られた操作キーしか設けられておらず、簡単な操作で、膨大な電話帳データから任意のデータを容易に検索するデータ検索技術が求められている。
【０００３】
従来、このようなデータ検索技術として、ダイヤルキーを操作して文字を入力するごとに、それまでの入力文字からなるキーワードと合致するデータを電話帳データから検索して画面表示する技術が提案されている（例えば、特許文献１など参照）。
【０００４】
【特許文献１】特開２０００−２８６９４９号公報
【発明の開示】
【発明が解決しようとする課題】
【０００５】
しかしながら、このような従来技術では、キーワードを入力する際、１つの文字を入力するために複数回のダイヤルキー操作を必要とする一般的な文字入力操作方法でキーワードを入力する必要があるため、操作が煩わしいという問題点があった。
例えば、「ヒロセテツヤ」をキーワードとして入力する際、図１３に示すような一般的なダイヤルキー配列によれば、「ハ６」を２回押下で「ヒ」を入力し、「ラ９」を５回押下で「ロ」を入力し、「サ３」を４回押下で「セ」を入力する、というように、１文字入力するために、同一ダイヤルキーを複数回押下する必要がある。したがって「ヒロセテツヤ」をすべて入力するためには、全部で１９回もダイヤルキーを押下する必要がある。
【０００６】
本発明はこのような課題を解決するためのものであり、極めて少ないダイヤルキー操作で任意のデータを検索できるデータ検索装置、方法、およびプログラムを提供することを目的としている。
【課題を解決するための手段】
【０００７】
このような目的を達成するために、本発明にかかるデータ検索装置は、検索対象となる複数のデータを含むデータベースと、押下時に入力される文字として１つ以上の文字がそれぞれ割り当てられている複数のダイヤルキーと、ダイヤルキーと当該割当文字との対応関係を示すキー登録情報を記憶する記憶部と、押下されたダイヤルキーに対応する割当文字をキー登録情報から取得し、入力候補情報として記憶部へ保存するキー入力処理部と、入力候補情報に含まれる割当文字のいずれかが、当該ダイヤルキーの押下順序と対応する桁位置に存在するデータを、データベースから検索するデータ検索部とを備えている。
【０００８】
この際、データ検索部で、押下されたダイヤルキーの押下順序が１桁目である場合には、１桁目に入力文字候補のいずれかが存在するデータをデータベースから検索して、その検索結果を記憶部へ保存し、押下されたダイヤルキーの押下順序が２桁目以降である場合には、当該押下順序と対応する桁位置に入力文字候補のいずれかが存在するデータを検索結果から再検索して、その検索結果を記憶部へ保存するようにしてもよい。
【０００９】
また、キー登録情報で、任意のダイヤルキーとデータに含まれる意味的区切りを示す区切り文字との対応関係を含み、データベースで、データごとに、当該データの意味的区切り位置に区切り文字を含むようにしてもよい。
【００１０】
また、キー登録情報の割当文字として、当該ダイヤルキーの識別情報を用い、データベースで、データごとに、当該データを構成する各文字をそれぞれの文字と対応するダイヤルキーの識別情報で表現したダイヤル表現情報を含み、データ検索部で、ダイヤルキーの入力候補情報に含まれる割当文字のいずれかが、当該ダイヤルキーの押下順序と対応する桁位置に存在するダイヤル表現情報を有するデータを、データベースから検索するようにしてもよい。
【００１１】
また、本発明にかかるデータ検索方法は、検索対象となる複数のデータを含むデータベースと、押下時に入力される文字として１つ以上の文字がそれぞれ割り当てられている複数のダイヤルキーとを含むデータ検索装置で、ダイヤルキーの操作に応じてデータベースから任意のデータを検索するためのデータ検索方法であって、記憶部が、ダイヤルキーと当該割当文字との対応関係を示すキー登録情報を記憶する記憶ステップと、キー入力処理が、押下されたダイヤルキーに対応する割当文字をキー登録情報から取得し、入力候補情報として記憶部へ保存するキー入力処理ステップと、データ検索部が、ダイヤルキーの入力候補情報に含まれる割当文字のいずれかが、当該ダイヤルキーの押下順序と対応する桁位置に存在するデータを、データベースから検索するデータ検索ステップとを備えている。
【００１２】
この際、データ検索ステップに、押下されたダイヤルキーの押下順序が１桁目である場合には、１桁目に入力文字候補のいずれかが存在するデータをデータベースから検索して、その検索結果を記憶部へ保存するステップと、押下されたダイヤルキーの押下順序が２桁目以降である場合には、当該押下順序と対応する桁位置に入力文字候補のいずれかが存在するデータを検索結果から再検索して、その検索結果を記憶部へ保存するステップとを含んでもよい。
【００１３】
また、キー登録情報で、任意のダイヤルキーとデータに含まれる意味的区切りを示す区切り文字との対応関係を含み、データベースで、データごとに、当該データの意味的区切り位置に区切り文字を含むようにしてもよい。
【００１４】
また、キー登録情報の割当文字として、当該ダイヤルキーの識別情報を用い、データベースで、データごとに、当該データを構成する各文字をそれぞれの文字と対応するダイヤルキーの識別情報で表現したダイヤル表現情報を含み、データ検索ステップに、ダイヤルキーの入力候補情報に含まれる割当文字のいずれかが、当該ダイヤルキーの押下順序と対応する桁位置に存在するダイヤル表現情報を有するデータを、データベースから検索するステップを含んでもよい。
【００１５】
また、本発明にかかるプログラムは、コンピュータを、前述したいずれか１つに記載のデータ検索装置として機能させるためのプログラムである。
【発明の効果】
【００１６】
本発明によれば、任意のデータを検索する際、当該データの文字数以下の押下回数で任意のデータを検索することができ、極めて少ないダイヤルキー操作で任意のデータを検索することが可能となる。
【発明を実施するための最良の形態】
【００１７】
次に、本発明の実施の形態について図面を参照して説明する。
［第１の実施の形態］
まず、図１を参照して、本発明の第１の実施の形態にかかるデータ検索装置について説明する。図１は、本発明の第１の実施の形態にかかるデータ検索装置の構成を示すブロック図である。
【００１８】
このデータ検索装置１は、電話装置や通信装置に設けられている情報処理機能で構成されて、複数のダイヤルキーの操作に応じて、予めデータベースに登録されているデータから任意のデータを検索する機能を有している。
【００１９】
本実施の形態では、各ダイヤルキーと当該割当文字と対応関係を示すキー登録情報を記憶部で記憶しておき、押下されたダイヤルキーに対応する割当文字を入力候補情報としてキー登録情報から取得して、記憶部のキー入力情報へ保存し、キー入力情報内の各入力候補情報に含まれる割当文字のいずれかが、当該ダイヤルキーの押下順序と対応する桁位置に存在するデータを、データベースから検索する場合について説明する。
【００２０】
次に、図１を参照して、本実施の形態にかかるデータ検索装置の構成について詳細に説明する。本実施の形態では、データ検索装置が電話装置の情報処理機能で構成されており、ダイヤルキー操作に応じてデータベースに登録されている電話帳データから任意のデータを検索する場合を例として説明する。
【００２１】
データ検索装置１には、主な機能部として、回線インターフェース部（以下、回線Ｉ／Ｆ部という）１１、音声処理部１２、操作入力部１３、画面表示部１４、記憶部１５、および制御部１６が設けられている。
【００２２】
回線Ｉ／Ｆ部１１は、制御部１６からの指示に基づいて、通信回線１０を介して電話の発着信や通話、さらにはデータ通信を行う機能を有している。
音声処理部１２は、制御部１６からの指示に基づいて、音声通話時に、回線Ｉ／Ｆ部１１を介して通信回線１０から受信した音声をスピーカから出力するとともに、マイクから入力された音声を回線Ｉ／Ｆ部１１を介して通信回線１０へ送信する機能を有している。
【００２３】
操作入力部１３は、ダイヤルキーや回線キーなどの各種操作キーからなり、これらキーにより利用者の操作を検出して制御部１６へ出力する機能を有している。
画面表示部１４は、ＬＣＤやＬＥＤなどの表示回路からなり、制御部１６からの指示に応じて、各種情報を表示する機能を有している。
【００２４】
記憶部１５は、メモリやハードディスクなどの記憶装置からなり、制御部１６での処理に用いる各種処理情報やプログラム１５Ｐを記憶する機能を有している。
プログラム１５Ｐは、制御部１６に読み込まれて実行されることにより、各種処理部を実現するプログラムであり、回線Ｉ／Ｆ部１１などのデータ入出力機能を介して外部装置や記録媒体から予め読み込まれて記憶部１５へ保存される。
【００２５】
記憶部１５で記憶する主な処理情報として、データベース１５Ａ、キー登録情報１５Ｂ、キー入力情報１５Ｃ、および検索結果１５Ｄがある。
データベース１５Ａは、検索対象となるデータが複数登録されたデータ群である。図２は、データベースの構成例である。ここでは、電話帳データを構成する、名前、電話番号、ＦＡＸ番号、メールアドレスなどの情報が組として登録されている。
【００２６】
キー登録情報１５Ｂは、各ダイヤルキーと割当文字との対応関係を示す情報である。図３は、キー登録情報の構成例である。ここでは、ダイヤルキーごとに、当該ダイヤルキーに予め割り当てられている割当文字「全角カナ」および「半角英数字」が入力文字候補として登録されている。例えば、ダイヤルキー「２」には、カ行に属する全角カナ文字「カキクケコ」と、半角英数字「ABC2」が入力文字候補として登録されている。これにより、ダイヤルキー「２」が押下された場合、対応する入力文字候補「カキクケコ」および「ABC2」のうちのいずれか１文字が入力されたことがわかる。これら「全角カナ」および「半角英数字」については、予め定めた文字入力切替操作に応じて切り替えられる。
【００２７】
キー入力情報１５Ｃは、押下されたダイヤルキーの押下順序と、記憶部１５のキー登録情報１５Ｂから取得した当該ダイヤルキーに対応する入力文字候補との対応関係を示す情報である。図４は、キー入力情報の構成例である。ここでは、ダイヤルキーの押下順序ごとに、押下されたダイヤルキーに対応する文字入力候補とが組として登録されている。例えば押下順序「２」には、押下されたダイヤルキー「９」に対応する入力文字候補「ラリルレロ」が登録されている。
検索結果１５Ｄは、キー入力情報１５Ｃに基づきデータベース１５Ａから検索された１つ以上のデータからなる情報である。
【００２８】
制御部１６は、ＣＰＵなどのマイクロプロセッサとその周辺回路を有し、記憶部１５のプログラム１５Ｐを読み出して実行することにより、上記ハードウェアとプログラム１５Ｐとを協働させて、各種処理部を実現する機能を有している。
制御部１６で実現される主な処理部としては、呼制御部１６Ａ、キー入力処理部１６Ｂ、データ検索部１６Ｃ、および検索結果選択部１６Ｄがある。
【００２９】
呼制御部１６Ａは、回線Ｉ／Ｆ部１１を介して網側と各種呼制御情報をやり取りすることにより、音声通話やデータ通信などの呼制御を行う機能を有している。
キー入力処理部１６Ｂは、操作入力部１３で検出されたダイヤルキー押下の検出結果に基づいて、押下されたダイヤルキーの押下順序ごとに、当該ダイヤルキーと対応する割当文字を入力文字候補として記憶部１５のキー登録情報１５Ｂから取得する機能と、これら押下順序と入力文字候補との対応関係を記憶部１５のキー入力情報１５Ｃへ保存する機能とを有している。
【００３０】
データ検索部１６Ｃは、記憶部１５のキー入力情報１５Ｃに基づいて、各ダイヤルキーの押下順序に対応する入力文字候補のいずれかが、当該押下順序と対応する桁位置に存在するデータをデータベース１５Ａから検索する機能と、当該検索結果１５Ｄを記憶部１５へ保存する機能とを有している。
検索結果選択部１６Ｄは、検索結果１５Ｄを画面表示部１４で画面表示する機能と、操作入力部１３で検出されたデータ選択操作に応じて、画面上で選択操作されたデータを記憶部１５へ保存する機能とを有している。
【００３１】
［第１の実施の形態の動作］
次に、図５を参照して、本発明の第１の実施の形態にかかるデータ検索装置の動作について説明する。図５は、本発明の第１の実施の形態にかかるデータ検索装置のデータ検索処理を示すフローチャートである。本実施の形態では、データ検索装置が電話装置の情報処理機能で構成されており、ダイヤルキー操作に応じてデータベースに登録されている電話帳データから任意のデータを検索する場合を例として説明する。
【００３２】
データ検索装置１の制御部１６は、操作入力部１３で検出されたデータ検索要求操作に応じて、図５のデータ検索処理を開始する。
まず、制御部１６は、キー入力処理部１６Ｂにより、ダイヤルキーの押下順序ｎ（処理変数）を「１」に初期化し（ステップ１００）、ダイヤルキーの押下待ち状態へ移行する（ステップ１０１）。
【００３３】
ここで、任意のダイヤルキーの押下が操作入力部１３で検出された場合（ステップ１０１：ＹＥＳ）、キー入力処理部１６Ｂは、押下されたダイヤルキーに対応する割当文字を入力文字候補として、記憶部１５のキー登録情報１５Ｂから取得し（ステップ１０２）、記憶部１５のキー入力情報１５Ｃのうち、現在の押下順序ｎに対応付けてこの入力文字候補を保存する（ステップ１０３）。
【００３４】
この後、制御部１６は、データ検索部１６Ｃにより、キー入力情報１５Ｃに基づいて、各ダイヤルキーの押下順序ｉ（ｉ＝１〜ｎ）に対応する入力文字候補のいずれかが、当該押下順序ｉと対応する桁位置に存在するデータを、記憶部１５のデータベース１５Ａから検索し（ステップ１０４）、その検索結果１５Ｄを記憶部１５へ保存する（ステップ１０５）。この際、データ検索部１６Ｃは、少なくとも、それまでに押下されたダイヤルキーに関する入力文字候補がそれぞれの桁位置に存在するデータをすべて検索する、いわゆる前方一致検索を行う。
【００３５】
続いて、制御部１６は、検索結果選択部１６Ｄにより、検索結果１５Ｄの検索データ数が規定数以下かどうか判定し（ステップ１０６）、規定数より多い場合には（ステップ１０６：ＮＯ）、検索結果１５Ｄを画面表示部１４で画面表示することなく、ステップ１０１へ戻る。
一方、検索データ数が規定数以下の場合には（ステップ１０６：ＹＥＳ）、検索結果１５Ｄを画面表示部１４で画面表示する（ステップ１０７）。
【００３６】
この後、検索結果選択部１６Ｄは、操作入力部１３によりデータ選択操作が検出された場合には（ステップ１０８：ＹＥＳ）、画面上で選択操作されたデータを記憶部１５へ保存し（ステップ１０９）、一連のデータ検索処理を終了する。
また、操作入力部１３によりデータ選択操作以外の操作が検出された場合には（ステップ１０８：ＮＯ）、ステップ１０１に戻って、次のダイヤルキーに対する処理へ移行する。
【００３７】
［第１の実施の形態の動作例］
次に、図６を参照して、本発明の第１の実施の形態にかかるデータ検索装置の動作例について説明する。図６は、本発明の第１の実施の形態にかかるデータ検索装置のデータ検索例を示す説明図である。ここでは、データベース１５Ａの電話帳データから名前が「ヒロセテツヤ」のデータを検索する際、前述した図４で示した押下順序でダイヤルキーが押下された場合を例として説明する。
【００３８】
まず最初に、ダイヤルキー「６」が押下された場合、図３のキー登録情報１５Ｂからダイヤルキー「６」に対する入力文字候補「ハヒフヘホバビブベボパピプペポ」が取得され、図４のキー入力情報１５Ｃの押下順序「１」に対応付けて保存される。そして、キー入力情報１５Ｃのうち、
押下順序「１」に対応する１桁目に当該入力文字候補「ハヒフヘホバビブベボパピプペポ」のいずれか１文字（ＯＲ）が１桁目に存在するデータ
がデータベース１５Ａから検索される。ここでは、「ハヤセカチヒコ」，「ヒライシュウイチ」，「ヒロサトカツミ」，「ヒロセテツヤ」，「フルタユウイチ」，「ホソカワシンヤ」，「ホンダナオスミ」の合わせて６件のデータが検索されている。
【００３９】
続いて、２番目にダイヤルキー「９」が押下された場合、キー登録情報１５Ｂからダイヤルキー「９」に対する入力文字候補「ラリルレロ」が取得され、キー入力情報１５Ｃの押下順序「２」に対応付けて保存される。そして、キー入力情報１５Ｃのうち、
押下順序「１」に対応する１桁目に当該入力文字候補「ハヒフヘホバビブベボパピプペポ」のいずれか１文字（ＯＲ）が存在し、かつ（ＡＮＤ）、
押下順序「２」に対応する２桁目に当該入力文字候補「ラリルレロ」のいずれか１文字（ＯＲ）が存在するデータ
がデータベース１５Ａから検索される。これにより、「ヒライシュウイチ」，「ヒロサトカツミ」，「ヒロセテツヤ」の合わせて３件のデータが検索されている。
【００４０】
続いて、３番目にダイヤルキー「３」が押下された場合、キー登録情報１５Ｂからダイヤルキー「３」に対する入力文字候補「サシスセソザジズゼゾ」が取得され、キー入力情報１５Ｃの押下順序「３」に対応付けて保存される。そして、キー入力情報１５Ｃのうち、
押下順序「１」に対応する１桁目に当該入力文字候補「ハヒフヘホバビブベボパピプペポ」のいずれか１文字（ＯＲ）が存在し、かつ（ＡＮＤ）、
押下順序「２」に対応する２桁目に当該入力文字候補「ラリルレロ」のいずれか１文字（ＯＲ）が存在し、かつ（ＡＮＤ）、
押下順序「３」に対応する３桁目に当該入力文字候補「サシスセソザジズゼゾ」のいずれか１文字（ＯＲ）が存在するデータ
がデータベース１５Ａから検索される。これにより、「ヒロサトカツミ」，「ヒロセテツヤ」の合わせて２件のデータが検索されている。
【００４１】
続いて、４番目にダイヤルキー「４」が押下された場合、キー登録情報１５Ｂからダイヤルキー「４」に対する入力文字候補「タチツテトダヂヅデド」が取得され、キー入力情報１５Ｃの押下順序「４」に対応付けて保存される。そして、キー入力情報１５Ｃのうち、
押下順序「１」に対応する１桁目に当該入力文字候補「ハヒフヘホバビブベボパピプペポ」のいずれか１文字（ＯＲ）が存在し、かつ（ＡＮＤ）、
押下順序「２」に対応する２桁目に当該入力文字候補「ラリルレロ」のいずれか１文字（ＯＲ）が存在し、かつ（ＡＮＤ）、
押下順序「３」に対応する３桁目に当該入力文字候補「サシスセソザジズゼゾ」のいずれか１文字（ＯＲ）が存在し、かつ（ＡＮＤ）、
押下順序「４」に対応する４桁目に当該入力文字候補「ラリルレロ」のいずれか１文字（ＯＲ）が存在するデータ
がデータベース１５Ａから検索される。これにより、「ヒロサトカツミ」，「ヒロセテツヤ」の合わせて２件のデータが検索されている。
【００４２】
続いて、５番目にダイヤルキー「４」が押下された場合、キー登録情報１５Ｂからダイヤルキー「４」に対する入力文字候補「タチツテトダヂヅデド」が取得され、キー入力情報１５Ｃの押下順序「５」に対応付けて保存される。そして、キー入力情報１５Ｃのうち、
押下順序「１」に対応する１桁目に当該入力文字候補「ハヒフヘホバビブベボパピプペポ」のいずれか１文字（ＯＲ）が存在し、かつ（ＡＮＤ）、
押下順序「２」に対応する２桁目に当該入力文字候補「ラリルレロ」のいずれか１文字（ＯＲ）が存在し、かつ（ＡＮＤ）、
押下順序「３」に対応する３桁目に当該入力文字候補「サシスセソザジズゼゾ」のいずれか１文字（ＯＲ）が存在し、かつ（ＡＮＤ）、
押下順序「４」に対応する４桁目に当該入力文字候補「ラリルレロ」のいずれか１文字（ＯＲ）が存在し、
押下順序「５」に対応する５桁目に当該入力文字候補「ラリルレロ」のいずれか１文字（ＯＲ）が存在するデータ
がデータベース１５Ａから検索される。これにより、「ヒロセテツヤ」というデータのみが検索されている。
【００４３】
従来の文字入力操作方法では、「ヒロセテツヤ」を検索する際、前述したように、「ハ６」を２回押下で「ヒ」を入力し、「ラ９」を５回押下で「ロ」を入力し、「サ３」を４回押下で「セ」を入力する、というように、１文字入力するために、同一ダイヤルキーを複数回押下する必要がある。したがって「ヒロセテツヤ」をすべて入力するためには、全部で１９回もダイヤルキーを押下する必要がある。
一方、前述した動作例では、「ヒロセテツヤ」を検索する際、ダイヤルキーのうち「ヒ」，「ロ」，「セ」，「テ」，「ツ」，「ヤ」が予め割れ当てられているダイヤルキー「６」，「９」，「３」，「４」，「４」，「８」を順に押下するだけで「ヒロセテツヤ」が検索されており、検索文字数以下の押下数で任意のデータを検索できることがわかる。
【００４４】
［第１の実施の形態の効果］
このように、本実施の形態では、各ダイヤルキーと当該割当文字と対応関係を示すキー登録情報１５Ｂを記憶部１５で記憶しておき、キー入力処理部１６Ｂにより、押下されたダイヤルキーに対応する割当文字を入力候補情報としてキー登録情報１５Ｂから取得して、記憶部１５のキー入力情報１５Ｃへ保存し、データ検索部１６Ｃにより、キー入力情報１５Ｃ内の各入力候補情報に含まれる割当文字のいずれかが、当該ダイヤルキーの押下順序と対応する桁位置に存在するデータを、データベース１５Ａから検索している。
したがって、任意のデータを検索する際、当該データの文字数以下の押下回数で任意のデータを検索することができ、極めて少ないダイヤルキー操作で任意のデータを検索することが可能となる。
【００４５】
また、本実施の形態では、ダイヤルキーが１回押下されるごとに、キー入力情報１５Ｃの登録内容に基づいて、データベース１５Ａから毎回データ検索を行う場合について説明したが、２回目以降のデータ検索については、記憶部１５に保存されている検索結果から再検索を行うようにしてもよい。
【００４６】
例えば、データ検索部１６Ｃにおいて、押下されたダイヤルキーの押下順序が１桁目である場合には、１桁目に入力文字候補のいずれかが存在するデータをデータベース１５Ａから検索して、その検索結果１５Ｄを記憶部１５へ保存しておく。また、押下されたダイヤルキーの押下順序が２桁目以降である場合には、当該押下順序と対応する桁位置に入力文字候補のいずれかが存在するデータを記憶部１５の検索結果１５Ｄから再検索し、その新たな検索結果１５Ｄを記憶部１５へ保存すればよい。
これにより、ダイヤルキーを押下するごとに検索対象となるデータ数を削減できる可能性があり、検索処理負担を削減でき、検索所要時間を短縮できる。
【００４７】
また、本実施の形態では、検索結果１５Ｄのデータ数が規定数を越える場合には、検索結果１５Ｄを画面表示せず、規定数以下となってはじめて検索結果１５Ｄを画面表示するようにしたので、無駄な画面表示を省くことができる。特に、検索結果が多数の場合、カーソル操作によりそのなかから所望のデータを選択するのは、大変煩わしい操作であり、見落としも発生する可能性が高い。したがって、規定数以下となった場合にのみ検索結果１５Ｄを画面表示することにより、データ選択操作をミスなく効率よく行うことができる。
【００４８】
［第２の実施の形態］
次に、本発明の第２の実施の形態にかかるデータ検索装置について説明する。
検索対象となるデータには意味的な区切りを有するデータがある。例えば、電話帳データに登録されている名前は、姓と名に区別される。本実施の形態では、このような意味的区切りを利用してデータ検索を行う場合を例として説明する。
【００４９】
本実施の形態では、データベース１５Ａのデータ内に、意味的区切りの位置に、予め定めた区切り文字が入力されているものとする。ここでは、区切り文字としてダイヤルキー「＃」を用いるものとする。データ検索の際には、この区切り文字を操作して意味的区切り位置を指定する。図７は、キー入力情報の他の構成例である。この例では、入力順序「４」に、押下されたダイヤルキーの識別情報「＃」と入力文字候補「＃（区切り文字）」が登録されている。
【００５０】
また、記憶部１５のキー登録情報１５Ｂには、前述した図３に示すように、ダイヤルキー「＃」には、区切り文字を示す「＃」が入力文字候補として登録されている。
本実施の形態では、データベース１５Ａの構成やキー登録情報１５Ｂについて、第１の実施の形態とは異なるものの、その他の構成は前述と同様であり、ここでの詳細な説明は省略する。
【００５１】
［第２の実施の形態の動作例］
次に、図８を参照して、本発明の第２の実施の形態にかかるデータ検索装置の動作例について説明する。図８は、本発明の第２の実施の形態にかかるデータ検索装置のデータ検索例を示す説明図である。ここでは、データベース１５Ａの電話帳データから名前が「ヒロセテツヤ」のデータを検索する際、前述した図７で示した押下順序でダイヤルキーが押下された場合を例として説明する。
【００５２】
まず最初に、ダイヤルキー「６」が押下された場合、図３のキー登録情報１５Ｂからダイヤルキー「６」に対する入力文字候補「ハヒフヘホバビブベボパピプペポ」が取得され、図７のキー入力情報１５Ｃの押下順序「１」に対応付けて保存される。そして、キー入力情報１５Ｃのうち、
押下順序「１」に対応する１桁目に当該入力文字候補「ハヒフヘホバビブベボパピプペポ」のいずれか１文字（ＯＲ）が１桁目に存在するデータ
がデータベース１５Ａから検索される。ここでは、「ハヤセ＃カチヒコ」，「ヒライ＃シュウイチ」，「ヒロサト＃カツミ」，「ヒロセ＃テツヤ」，「フルタ＃ユウイチ」，「ホソカワ＃シンヤ」，「ホンダ＃ナオスミ」の合わせて６件のデータが検索されている。
【００５３】
続いて、２番目にダイヤルキー「９」が押下された場合、キー登録情報１５Ｂからダイヤルキー「９」に対する入力文字候補「ラリルレロ」が取得され、キー入力情報１５Ｃの押下順序「２」に対応付けて保存される。そして、キー入力情報１５Ｃのうち、
押下順序「１」に対応する１桁目に当該入力文字候補「ハヒフヘホバビブベボパピプペポ」のいずれか１文字（ＯＲ）が存在し、かつ（ＡＮＤ）、
押下順序「２」に対応する２桁目に当該入力文字候補「ラリルレロ」のいずれか１文字（ＯＲ）が存在するデータ
がデータベース１５Ａから検索される。これにより、「ヒライ＃シュウイチ」，「ヒロサト＃カツミ」，「ヒロセ＃テツヤ」の合わせて３件のデータが検索されている。
【００５４】
続いて、３番目にダイヤルキー「３」が押下された場合、キー登録情報１５Ｂからダイヤルキー「３」に対する入力文字候補「サシスセソザジズゼゾ」が取得され、キー入力情報１５Ｃの押下順序「３」に対応付けて保存される。そして、キー入力情報１５Ｃのうち、
押下順序「１」に対応する１桁目に当該入力文字候補「ハヒフヘホバビブベボパピプペポ」のいずれか１文字（ＯＲ）が存在し、かつ（ＡＮＤ）、
押下順序「２」に対応する２桁目に当該入力文字候補「ラリルレロ」のいずれか１文字（ＯＲ）が存在し、かつ（ＡＮＤ）、
押下順序「３」に対応する３桁目に当該入力文字候補「サシスセソザジズゼゾ」のいずれか１文字（ＯＲ）が存在するデータ
がデータベース１５Ａから検索される。これにより、「ヒロサト＃カツミ」，「ヒロセ＃テツヤ」の合わせて２件のデータが検索されている。
【００５５】
続いて、４番目にダイヤルキー「＃」が押下された場合、キー登録情報１５Ｂからダイヤルキー「４」に対する入力文字候補「＃（区切り文字）」が取得され、キー入力情報１５Ｃの押下順序「４」に対応付けて保存される。そして、キー入力情報１５Ｃのうち、
押下順序「１」に対応する１桁目に当該入力文字候補「ハヒフヘホバビブベボパピプペポ」のいずれか１文字（ＯＲ）が存在し、かつ（ＡＮＤ）、
押下順序「２」に対応する２桁目に当該入力文字候補「ラリルレロ」のいずれか１文字（ＯＲ）が存在し、かつ（ＡＮＤ）、
押下順序「３」に対応する３桁目に当該入力文字候補「サシスセソザジズゼゾ」のいずれか１文字（ＯＲ）が存在し、かつ（ＡＮＤ）、
押下順序「４」に対応する４桁目に当該入力文字候補「＃」文字が存在するデータ
がデータベース１５Ａから検索される。これにより、「ヒロセ＃テツヤ」というデータのみが検索されている。
【００５６】
このような動作例では、「ヒロセテツヤ」を検索する際、意味的区切りの位置も検索対象となるため、ダイヤルキーのうち「ヒ」，「ロ」，「セ」，「＃」が予め割れ当てられているダイヤルキー「６」，「９」，「３」，「＃」を順に押下するだけで「ヒロセテツヤ」が検索されており、ダイヤルキー押下数を削減できることがわかる。
【００５７】
［第２の実施の形態の効果］
このように本実施の形態では、データベースのデータとして、当該データ内の意味的区切り位置に区切り文字を含むデータを登録しておき、キー登録情報に、任意のキーと区切り文字との対応関係を登録するようにしたので、意味的区切りの位置も検索対象となるため、ダイヤルキー押下数を削減することが可能となる。
【００５８】
［第３の実施の形態］
次に、本発明の第３の実施の形態にかかるデータ検索装置について説明する。
第１および第２の実施の形態では、押下されたダイヤルキーを、当該ダイヤルキーと対応する入力文字候補に順に置換し、これらダイヤルキーの押下順序と入力文字候補の組み合わせと一致するデータをデータベース１５Ａから検索する場合を例として説明した。本実施の形態では、押下されたダイヤルキーを入力文字候補に置換することなくデータを検索する場合について説明する。なお、本実施の形態は、第２の実施の形態と組み合わせて実施してもよい。
【００５９】
本実施の形態では、キー登録情報１５Ｂにおいて、各ダイヤルキーの割当文字として、当該ダイヤルキーの識別情報を登録しておく。図９は、キー登録情報の他の構成例である。この識別情報は、例えば電話装置における通常の呼制御で用いられている識別情報を用いればよい。
【００６０】
また、本実施の形態では、データベース１５Ａの各データをダイヤルキーの識別情報を用いて表現したダイヤル表現情報を、各データに対応付けてデータベース１５Ａに登録しておく。図１０は、データベースの要部を示す説明図である。ここでは、電話帳データを構成する、名前、電話番号、ＦＡＸ番号、メールアドレスなどの情報に加え、ダイヤル表現情報が組として登録されている。
【００６１】
ダイヤル表現情報は、ダイヤルキーの識別情報列からなり、データを構成する各文字について、前述した図３のキー登録情報１５Ｂを逆に検索することにより、当該文字代わり当てられているダイヤルキーの識別情報を得ることができる。例えば、名前「ヒロセテツヤ」については、それぞれの文字について、当該文字を入力する際に押下するダイヤルキーの識別情報で置換することにより「６９３４４８」というダイヤル表現情報が得られる。このダイヤル表現情報については、データベース１５Ａに対して新たなデータを登録する際に、キー登録情報１５Ｂに基づいて自動生成して登録しておけばよい。
本実施の形態では、データベース１５Ａの構成やキー入力情報１５Ｃについて、第１の実施の形態とは異なるものの、その他の構成は前述と同様であり、ここでの詳細な説明は省略する。
【００６２】
［第３の実施の形態の動作］
次に、図１１を参照して、本発明の第３の実施の形態にかかるデータ検索装置の動作について説明する。図１１は、本発明の第３の実施の形態にかかるデータ検索装置のデータ検索処理を示すフローチャートである。本実施の形態では、データ検索装置が電話装置の情報処理機能で構成されており、ダイヤルキー操作に応じてデータベースに登録されている電話帳データから任意のデータを検索する場合を例として説明する。
【００６３】
データ検索装置１の制御部１６は、操作入力部１３で検出されたデータ検索要求操作に応じて、図１１のデータ検索処理を開始する。
まず、制御部１６は、キー入力処理部１６Ｂにより、ダイヤルキーの押下順序ｎ（処理変数）を「１」に初期化し（ステップ２００）、ダイヤルキーの押下待ち状態へ移行する（ステップ２０１）。
【００６４】
ここで、任意のダイヤルキーの押下が操作入力部１３で検出された場合（ステップ２０１：ＹＥＳ）、キー入力処理部１６Ｂは、押下されたダイヤルキーに対応する識別情報を、記憶部１５のキー登録情報１５Ｂから取得し（ステップ２０２）、記憶部１５のキー入力情報１５Ｃのうち、現在の押下順序ｎに対応付けてこの識別情報を保存する（ステップ２０３）。
【００６５】
この後、制御部１６は、データ検索部１６Ｃにより、キー入力情報１５Ｃに基づいて、各ダイヤルキーの押下順序ｉ（ｉ＝１〜ｎ）に対応する識別情報が、当該押下順序ｉと対応する桁位置に存在するダイヤル表現情報を持つデータを、記憶部１５のデータベース１５Ａから検索し（ステップ２０４）、その検索結果１５Ｄを記憶部１５へ保存する（ステップ２０５）。この際、データ検索部１６Ｃは、少なくとも、それまでに押下されたダイヤルキーの識別情報がそれぞれの桁位置に存在するダイヤル表現情報を、すべて検索する、いわゆる前方一致検索を行う。
【００６６】
続いて、制御部１６は、検索結果選択部１６Ｄにより、検索結果１５Ｄの検索データ数が規定数以下かどうか判定し（ステップ２０６）、規定数より多い場合には（ステップ２０６：ＮＯ）、検索結果１５Ｄを画面表示部１４で画面表示することなく、ステップ２０１へ戻る。
一方、検索データ数が規定数以下の場合には（ステップ２０６：ＹＥＳ）、検索結果１５Ｄを画面表示部１４で画面表示する（ステップ２０７）。
【００６７】
この後、検索結果選択部１６Ｄは、操作入力部１３によりデータ選択操作が検出された場合には（ステップ２０８：ＹＥＳ）、画面上で選択操作されたデータを記憶部１５へ保存し（ステップ２０９）、一連のデータ検索処理を終了する。
また、操作入力部１３によりデータ選択操作以外の操作が検出された場合には（ステップ２０８：ＮＯ）、ステップ２０１に戻って、次のダイヤルキーに対する処理へ移行する。
【００６８】
［第３の実施の形態の動作例］
次に、図１２を参照して、本発明の第３の実施の形態にかかるデータ検索装置の動作例について説明する。図１２は、本発明の第３の実施の形態にかかるデータ検索装置のデータ検索例を示す説明図である。ここでは、データベース１５Ａの電話帳データから名前が「ヒロセテツヤ」のデータを検索する際、前述した図４で示した押下順序でダイヤルキーが押下された場合を例として説明する。
【００６９】
まず最初に、ダイヤルキー「６」が押下された場合、その識別情報「６」が、図４のキー入力情報１５Ｃの押下順序「１」に対応付けて保存される。そして、キー入力情報１５Ｃのうち、
押下順序「１」に対応する１桁目に当該識別情報「６」が１桁目に存在するデータ
がデータベース１５Ａから検索される。ここでは、「ハヤセカチヒコ」の「６８３２４６２」，「ヒライシュウイチ」の「６９１３８１１４」，「ヒロサトカツミ」の「６９３４２４７」，「ヒロセテツヤ」の「６９３４４８」，「フルタユウイチ」の「６９４８１１４」，「ホソカワシンヤ」の「６３２０３０８」，「ホンダナオスミ」の「６０６５１３７」の合わせて６件のデータが検索されている。
【００７０】
続いて、２番目にダイヤルキー「９」が押下された場合、その識別情報「９」がキー入力情報１５Ｃの押下順序「２」に対応付けて保存される。そして、キー入力情報１５Ｃのうち、
押下順序「１」に対応する１桁目に当該識別情報「６」が存在し、かつ（ＡＮＤ）、
押下順序「２」に対応する２桁目に当該識別情報「９」が存在するデータ
がデータベース１５Ａから検索される。これにより、「６９１３８１１４」，「６９３４２４７」，「６９３４４８」の合わせて３件のデータが検索されている。
【００７１】
続いて、３番目にダイヤルキー「３」が押下された場合、その識別情報「３」がキー入力情報１５Ｃの押下順序「３」に対応付けて保存される。そして、キー入力情報１５Ｃのうち、
押下順序「１」に対応する１桁目に当該識別情報「６」が存在し、かつ（ＡＮＤ）、
押下順序「２」に対応する２桁目に当該識別情報「９」が存在し、かつ（ＡＮＤ）、
押下順序「３」に対応する３桁目に当該識別情報「３」が存在するデータ
がデータベース１５Ａから検索される。これにより、「６９３４２４７」，「６９３４４８」の合わせて２件のデータが検索されている。
【００７２】
続いて、４番目にダイヤルキー「４」が押下された場合、その識別情報「４」がキー入力情報１５Ｃの押下順序「４」に対応付けて保存される。そして、キー入力情報１５Ｃのうち、
押下順序「１」に対応する１桁目に当該識別情報「６」が存在し、かつ（ＡＮＤ）、
押下順序「２」に対応する２桁目に当該識別情報「９」が存在し、かつ（ＡＮＤ）、
押下順序「３」に対応する３桁目に当該識別情報「３」が存在し、かつ（ＡＮＤ）、
押下順序「４」に対応する４桁目に当該識別情報「４」が存在するデータ
がデータベース１５Ａから検索される。これにより、「ヒロサトカツミ」，「ヒロセテツヤ」の合わせて２件のデータが検索されている。
【００７３】
続いて、５番目にダイヤルキー「４」が押下された場合、その識別情報「４」がキー入力情報１５Ｃの押下順序「５」に対応付けて保存される。そして、キー入力情報１５Ｃのうち、
押下順序「１」に対応する１桁目に当該識別情報「６」が存在し、かつ（ＡＮＤ）、
押下順序「２」に対応する２桁目に当該識別情報「９」が存在し、かつ（ＡＮＤ）、
押下順序「３」に対応する３桁目に当該識別情報「３」が存在し、かつ（ＡＮＤ）、
押下順序「４」に対応する４桁目に当該識別情報「４」が存在し、かつ（ＡＮＤ）、
押下順序「５」に対応する５桁目に当該識別情報「４」が存在するデータ
がデータベース１５Ａから検索される。これにより、「ヒロセテツヤ」というデータのみが検索されている。
【００７４】
第１および第２の実施の形態では、ダイヤルキーに対応する入力文字候補でデータベース１５Ａを検索するため、各ダイヤルキーを入力文字候補に置換する必要があるとともに、これら入力文字候補の組み合わせの数だけ検索パターンが必要となる。本実施の形態では、データベース１５Ａにダイヤル表現情報を予め登録しておく必要があるが、ダイヤルキーの識別情報そのものでデータベース１５Ａを検索するため、入力文字候補への置換が不要となり、また検索パターンは１つで済むため、検索効率が改善されることがわかる。
【００７５】
［第３の実施の形態の効果］
このように、本実施の形態では、データベース１５Ａの各データをダイヤルキーの識別情報を用いて表現したダイヤル表現情報を、各データに対応付けてデータベース１５Ａに登録しておき、検索時に入力された各ダイヤルキーの識別情報と一致するダイヤル表現情報を持つデータをデータベース１５Ａから検索するようにしたので、検索効率を改善することができる。
【００７６】
［実施の形態の拡張］
以上では、各実施の形態にかかるデータ検索装置が適用される電話装置として、一般的な単独電話装置を例として説明したが、これに限定されるものではなく、無線親子電話装置、ボタン電話システム、携帯電話端末などがあり、通信装置としては、ファクシミリ装置、パーソナルコンピュータ、ＰＤＡなどの他の電話装置についても、前述と同様にして各実施の形態を適用でき、同様の作用効果が得られる。
【００７７】
また、各実施の形態では、電話装置に搭載された電話帳データから名前をキーワードとして所望のデータを検索する場合を例として説明したが、これに限定されるものではなく、他のデータベースであっても、また他のキーワードであっても、前述と同様にして各実施の形態を適用でき、同様の作用効果が得られる。
【００７８】
また、各実施の形態では、ダイヤルキー「＃」を区切り文字入力用のダイヤルキーとして用いた場合を例として説明したが、これに限定されるものではなく、例えばダイヤルキー「＊」などの他のダイヤルキーを区切り文字入力用のダイヤルキーとしてもよい。
また、各実施の形態では、ダイヤルキー「＃」を区切り文字入力用のダイヤルキーとして単独で用いる場合を例として説明したが、これに限定されるものではなく、区切り文字入力用のダイヤルキーを他のダイヤルキーと兼用してもよい。
また、各実施の形態では、区切り文字として「＃」を用いる場合を例として説明したが、これに限定されるものではなく、例えば空白や「／」などの他の記号を用いてもよい。
【００７９】
また、各実施の形態では、ダイヤルキーが押下されるごとにデータ検索を行う場合を例として説明したが、ダイヤルキーが複数回押下された後の入力確定操作に応じて、あるいは所定押下回数に達した時点で、データ検索を行うようにしてもよい。
【００８０】
また、各実施の形態では、ダイヤルキーにより全角カタカナ文字を入力してデータ検索する場合を例として説明したが、半角英数文字についても、前述と同様にして各実施の形態を適用でき、同様の作用効果が得られる。
また、図３に示すように、例えばダイヤルキー「＊」に対して任意の文字に対応する特殊文字、いわゆる「ワイルドカード」を登録しておいてもよく、より柔軟な検索を行うことが可能となる。
【図面の簡単な説明】
【００８１】
【図１】本発明の第１の実施の形態にかかるデータ検索装置の構成を示すブロック図である。
【図２】データベースの構成例である。
【図３】キー登録情報の構成例である。
【図４】キー入力情報の構成例である。
【図５】本発明の第１の実施の形態にかかるデータ検索装置のデータ検索処理を示すフローチャートである。
【図６】本発明の第１の実施の形態にかかるデータ検索装置のデータ検索例を示す説明図である。
【図７】キー入力情報の他の構成例である。
【図８】本発明の第２の実施の形態にかかるデータ検索装置のデータ検索例を示す説明図である。
【図９】キー登録情報の他の構成例である。
【図１０】データベースの他の構成例である。
【図１１】本発明の第３の実施の形態にかかるデータ検索装置のデータ検索処理を示すフローチャートである。
【図１２】本発明の第３の実施の形態にかかるデータ検索装置のデータ検索例を示す説明図である。
【図１３】一般的なダイヤルキーを示す説明図である。
【符号の説明】
【００８２】
１…データ検索装置、１０…通信回線、１１…回線Ｉ／Ｆ部、１２…音声処理部、１３…操作入力部、１４…画面表示部、１５…記憶部、１５Ａ…データベース、１５Ｂ…キー登録情報、１５Ｃ…キー入力情報、１５Ｄ…検索結果、１６…制御部、１６Ａ…呼制御部、１６Ｂ…キー入力処理部、１６Ｃ…データ検索部、１６Ｄ…検索結果選択部。
【図１】
2010128855.tif 000003
【図２】
2010128855.tif 000004
【図３】
2010128855.tif 000005
【図４】
2010128855.tif 000006
【図５】
2010128855.tif 000007
【図６】
2010128855.tif 000008
【図７】
2010128855.tif 000009
【図８】
2010128855.tif 000010
【図９】
2010128855.tif 000011
【図１０】
2010128855.tif 000012
【図１１】
2010128855.tif 000013
【図１２】
2010128855.tif 000014
【図１３】
2010128855.tif 000015